(57)【特許請求の範囲】
【請求項１】
隣接する水平フレームの両端部と、上方に延びる垂直フレームの下端部とを固着する前記水平フレーム及び前記垂直フレームを、互いに直角とするように独立して４隅以上に接合したキャスターと、
前記水平フレーム及び前記垂直フレームからなる４辺のフレームで囲まれ、その間にボール通過防止合成樹脂ネットを張った対向する２枚のボール通過防止フレーム面及び前記水平フレーム及び前記垂直フレームからなる４辺のフレームで囲まれ、その間にメタルラス網またはパンチングメタルで形成したボール通過防止フレームを張った１枚の天井ボール通過防止フレーム面と、
前記対向する２枚のボール通過防止フレーム面に隣接し、その間に、前記水平フレーム及び前記垂直フレームからなる４辺のフレームで囲まれ、一重乃至三重まで重ねた受穴が設けられたボール網受面を有する１枚のボール衝突面と、
前記水平フレーム及び前記垂直フレームからなる４辺のフレームで囲まれ前記１枚のボール衝突面に対向する位置に形成した１枚の開放面と、
前記１枚の天井ボール通過防止フレーム面の上面に敷設し、バッティング練習者に雨水がかかりにくくし、雨水は最上部にある合成樹脂シートによって雨が遮断される雨滴防止具と
を具備することを特徴とする全天候型バッティング練習機。
【請求項２】
前記全天候型バッティング練習機の前記雨滴防止具は、合成樹脂、合成ゴム、エラストマーの何れかを下層に敷き、その上層に合成樹脂、合成ゴム、エラストマーの何れかを敷設したことを特徴とする請求項１に記載の全天候型バッティング練習機。
【発明の詳細な説明】
【技術分野】
【０００１】
本発明は、雨降りのバッティング練習等で練習者Ｂに雨水がかからないようにした全天候型バッティング練習機に関するもので、バッティング練習者Ｂに合成樹脂ネットが雨水を通し、バッティング練習者Ｂのユニフォームの首筋付近から背中、そして、雨水が肌着に侵入するという現実があった。
【背景技術】
【０００２】
全天候型バッティング練習機の従来例としては、例えば、特許文献１（特開２０１３−８１７３２号公報）に記載の、強い跳ね返りを防止するバッティグゲージの発明がある。この発明は、軟式野球，硬式野球、ソフトボールの打撃練習に使用されるバッティグゲージに関するもので、その側面枠或いは側面枠と天井面枠の間口の構成部材を省き、それぞれに対角線にＸ字状に所要強度を有する構成部材を設けたものである。
【０００３】
即ち、特許文献２（実開昭６０−６３３７４号公報）は、バッティング練習機に関するもので、適宜長さの弾性稈端の一方に野球用ボールを、他方には適量の重錘を取付け、前記弾性稈の略中央部と支持脚上方とを支持軸によって緩く支持し、弾性稈を垂直状態にポールを上方、重錘を下方にして常時保持するようにしたバッティング練習機を開示している。
【先行技術文献】
【特許文献】
【０００４】
【特許文献１】特開２０１３−８１７３２号公報
【特許文献２】実開昭６０−６３３７４号公報
【発明の概要】
【発明が解決しようとする課題】
【０００５】
特許文献１のバッティング練習機は、軟式野球、硬式野球、ソフトボールの打撃練習に使用されるバッティグゲージで側面枠或いは側面枠と天井面枠の間口の構成部材を省き、反発係数を変化させるものである。また、特許文献２は弾性稈としてポールの上方、重錘を下方として常時保持するバッティングネットが開示されている。
しかし、バッティング練習に使用する簡易練習機及びバッティング練習機は、雨降りには使用されず、水浸しになっていた。特に、梅雨時には、全天候型バッティング練習機には使用されないのが一般的であった。
【０００６】
そこで、本発明は従来の上記問題点を解消すべく、雨降りであっても、バッティング練習者は雨水によってユニフォームを汚したり、雨水や汗で濡れたりすることがない全天候型バッティング練習機の提供を課題とするものである。
【課題を解決するための手段】
【０００７】
請求項１の発明の全天候型バッティング練習機は、隣接する水平フレームの両端部と、上方に延びる垂直フレームの下端部とを固着する前記水平フレーム及び前記垂直フレームを、互いに直角とするように独立して４隅以上の位置に接合配置したキャスターと、
ボール通過防止フレーム面を張った対向する２枚のボール通過防止フレーム面及び前記ボール通過防止フレーム面を張った１枚の天井ボール通過防止フレーム面と、前記対向する２枚のボール通過防止フレーム面に隣接し、その間に、ボール網受面を有する１枚のボール衝突面と、前記１枚のボール衝突面に対向する位置に形成した１枚の開放面と、前記１枚の天井ボール通過防止フレーム面は、バッティング練習者に雨水がかかり、雨水は最上部の傘の機能の如く、傘の中は雨水が付かないから、合成樹脂シートによって雨が遮断される雨滴防止具である。
【０００８】
ここで、前記キャスターは、隣接する下側の前記水平フレームの両端部の独立した４隅以上に接合される。前記水平フレームの両端部の独立した４隅のキャスターは、４台のキャスター、４台以上のキャスターとすることができる。
また、天井ボール通過防止フレーム面としての合成樹脂の網を張った１枚の天井ボール通過防止フレーム面と、ボール通過防止面に対向する２枚の垂直のボール通過防止フレーム面の２枚は、天井ボール通過防止フレーム面としての合成樹脂ネットを張った対向する２枚のボール通過防止フレーム面である。
そして、前記水平フレームは１０〜３０ｍｍの位置の下段位置が４個、２ｍ以上の上段位置が４個、前記垂直フレームは４個となっているが、本発明を実施する場合には前記水平フレーム及び前記ボール網受面を有する１枚のボール衝突面は、下段位置が４個、上段位置が４個を１／２の長さで切断するものであればよい。
【０００９】
１枚のボール衝突面は、前記両側２枚のボール通過防止面に隣接し、適当な高さの位置で、一重乃至三重まで重ねたボール網受面の受穴を穿設するものである。特に、１枚のボール衝突面は、ボールの接触圧によって、高速球が急激に減速する。
更に、ボール通過防止フレーム面が張られていない前記開放面は、１枚のボール衝突面に対向する位置に形成したボール通過防止フレーム面を有しない面である。
【００１０】
加えて、バッティング練習者に雨水がかかりにくくする雨滴防止具は、前記１枚の天井ボール通過防止面の下側に敷設した雨水がかかりにくいように上部に合成樹脂シートを配設したものである。
なお、合成樹脂発泡剤は、例えば、ポリエチレン製の合成樹脂で、世間で俗に『ブルーシート（色彩は問わないものとして流通）』等と呼ばれるものである。この合成樹脂発泡剤としては、テント地を使用することもできる。また、使用は合成樹脂発泡剤に限定さるものではなく、合成樹脂、合成ゴム、エラストマーの一種類であればよい。
【００１１】
請求項１の前記全天候型バッティング練習機において、ボール通過防止フレーム面とは１面からなる天井ボール通過防止フレーム面、２面からなるボール通過防止フレーム面、１面からなるボール衝突面からなる。
但し、低い位置の水平フレーム５，６，７，８と、垂直フレーム９，１０，１１，１２と、高い位置の水平フレーム１３，１４，１５，１６のフレームに限り、特定の長さのものを使用する。
【００１２】
請求項１の全天候型バッティング練習機において、前記１枚の天井ボール通過防止フレーム面に敷設し、バッティング練習者に雨水が降りかかりにくくする雨滴防止具は、１枚のボール衝突面に複数枚の合成樹脂シートを配設し、一重乃至三重まで重ねたボール網受面の受穴を穿設するものである。
【００１３】
全天候型バッティング練習機において、雨滴防止具は、所定の合成樹脂シートからなる四角板シート、ボール通過防止フレーム面に取付けたシートからなる。
したがって、雨滴防止具は、所定の四角板シートとして使用され、連続的に雨水を外部に流すものであるから、雨水が空気の流れとして全天候型バッティング練習機内部に侵入することもない。
【００１４】
特に、１本以上のキャスターを杭打ち、その杭に前記全天候型バッティング練習機を固定しておけば、前記全天候型バッティング練習機が転倒しても、合成樹脂、合成ゴム、エラストマーの平板が風によって飛んだり、風に乗ったりして遠くに移動することがない。
なお、合成樹脂、合成ゴム、エラストマー等の層の順序を変更して、また、変更すことなく、テント地を使用してもよい。
そして、１枚のボール衝突面は、前記両側２枚のボール通過防止フレーム面に隣接し、適当な高さの位置で、一重乃至三重まで重ねたボール網受面の受穴を穿設するものである。特に、１枚のボール衝突面は、ボールの接触圧によって、高速球が急速に減速する。
更に、ボール通過防止フレーム面が貼られていない前記開放面は、１枚のボール衝突面に対向する位置に形成したボール通過防止フレーム面を有しない面である。
【００１５】
加えて、バッティング練習者に発泡合成樹脂としてポリエチレン製の合成樹脂剤、ウレタンシート、発泡スチロールシート等の発泡合成樹脂を反応させてもよい。勿論、発泡合成樹脂以外の合成樹脂、合成ゴム、エラストマー等も使用できる。
特に、発泡スチロールは特定の型に成形すれば、廉価で水路が形成できる。ここにあって、雨滴防止具は、前記１枚の天井ボール通過防止フレーム面の下側に敷設した雨水がかかりにくいように上部に合成樹脂シートを配設したものである。発泡合成樹脂シートとして合成樹脂シート、ウレタンシート、発泡スチロール等、特に、発泡スチロールは特定の形状に成形すれば、軽量で、廉価に水路が形成できる。
【００１６】
発泡合成樹脂剤を入れても、特に、発泡スチロールは特定の型に成形すれば、廉価で水路が形成できる。合成樹脂シートの選択では、発泡ウレタン等では反発の弾性を考慮するのが望ましい。
なお、合成樹脂シートは、ポリエチレン製の合成樹脂シートで、世間で俗にブルーシート（色彩は問わない）等と呼称されているものである。
【００１７】
請求項１の全天候型バッティング練習機においては、前記１枚の天井ボール通過防止フレーム面の上面に敷設し、前記両側２枚のボール通過防止フレーム面に雨水を集め、バッティング練習者に雨水がかかりにくい雨滴防止具は、中央に屋根棟の梁を設ければ、下端は２枚のボール通過防止フレーム面に取り付けたものであり、雨水のながれを分散して１枚の天井ボール通過防止フレーム面の周囲から集中して落下でき、比較的に雨水が集中するものにも使用できる。
また、天井ボール通過防止フレーム面をメタルラスで形成し、その上にシートを敷設したものでは、その上面にシートを敷くことにより、雨水の重みにより幾種類かの水溜りができることがない。結果、荷重の分散により、特定位置の雨水がこぼれることがない。
【００１８】
請求項１の全天候型バッティング練習機においては、前記１枚の天井ボール通過防止フレーム面の上面に敷設し、雨水がバッティング練習者に水滴が付着し、首筋あたりから入ろうとした雨水は、雨滴防止具の１枚のボール衝突面に複数枚の合成樹脂シートを配設した切欠端部に流れるから、一重乃至三重まで重ねたボール網受面の受穴を有するものであり、一旦、ボール網受面の受穴を通過したボールは、跳ね返ってバッティング練習者Ｂに当たることがない。
【００１９】
また、全天候型バッティング練習機においては、雨滴防止具は所定の合成樹脂、合成ゴム、エラストマー等からなる四角板シートとし、それをボール通過防止フレーム面の両側に取付けたシートである。
ここで使用する合成樹脂、合成ゴム、エラストマー等からなる四角板シートは、三角でも長方形でも、円形でもよいが、できれば、上、下の面で固定する取付け手段の配設が好ましい。
【００２０】
したがって、雨滴防止具は所定の合成樹脂、合成ゴム、エラストマー等の四角板シートとするから、連続的に雨水を外部に流し、それをボール通過防止フレーム面の両側で取付けたものであっても、雨水が空気の流れとして全天候型バッティング練習機に侵入することもない。
合成樹脂の四角板シートは、２層以上を積層してもよい。この時には、合成樹脂の四角板シートに芯材をインサート成形し、表面から雨水が水滴を流れ、雨水が低下し安く設定している。
【００２１】
請求項２の全天候型バッティング練習機の雨滴防止具は、合成樹脂、合成ゴム、エラストマーの何れかを下層に敷き、その上層に合成樹脂、合成ゴム、エラストマーの何れかを敷設したものである。
したがって、合成樹脂、合成ゴム、エラストマーの四角板シートが、自重によって浮き上がり難くなるから、風によって飛んだり、風に乗ったりすることがない。特に、１本以上のキャスターを杭に固定しておけば、前記全天候型バッティング練習機が転倒しても、合成樹脂、合成ゴム、エラストマーの平板が風によって飛んだり、風に乗ったりすることがない。
【図面の簡単な説明】
【００２２】
【図１】図１は本発明の実施例の全天候型バッティング練習機の斜視図である。
【図２】図２は本発明の実施例の全天候型バッティング練習機に使用する雨滴防止具を変更した事例の説明図である。
【図３】図３は本発明の実施例の全天候型バッティング練習機に使用するキャスターの斜視図で、(ａ)は水平方向に回動する様子を、（ｂ）はキャスターにストッパーを設けた事例の参考図である。
【図４】図４は本発明の実施の形態に係る全天候型バッティング練習機のボール衝突面、受穴を図示する説明図である。
【図５】図５は本発明の実施の形態に係る全天候型バッティング練習機の雨滴防止具の取付け例を図示する説明図である。
【図６】図６は本発明の実施の形態に係る全天候型バッティング練習機の３層の雨滴防止具の取付けを説明する図である。
【図７】図７は本発明の実施の形態に係る全天候型バッティング練習機の２層の雨滴防止具の取付け事例を示す説明図である。
【図８】図８は本発明の実施の形態に係る全天候型バッティング練習機の雨滴防止具の空気層を設けた事例を示す説明図である。
【図９】図９は本発明の実施の形態に係る全天候型バッティング練習機の雨滴防止具を設けた事例の説明図である。
【発明を実施するための形態】
【００２３】
以下、本発明の実施の形態について、図１乃至図９を参照しながら説明する。なお、図１乃至図９は本発明の実施の形態である。なお、本実施の形態において、同一の記号及び同一の符号は、同一または相当する部分及び機能を意味するものであるから、ここでは重複する説明を省略する。
【００２４】
まず、キャスター１，２，３，４は、図３（ａ）に示すように、それらの延長線上で固定された四角形または略四角形を形成した水平フレーム５，６，７，８で固着されている。キャスター１，２，３，４は樹脂輪２ａのセンターが、水平フレーム５，６，７，８のセンターよりもずれているから、地面に近い水平フレーム５，６，７，８を押したり、引いたりすることにより、樹脂輪２ａが車輪の進行方向から１８０度ずれた位置となって水平フレーム５，６，７，８に追随する。
【００２５】
即ち、キャスター１，２，３，４は、隣接する水平フレーム５，６，７，８の両端部と、上方に延びる垂直フレーム９，１０，１１，１２の下端部とを固着する水平フレーム５，６，７，８及び垂直フレーム９，１０，１１，１２を、互いに直角、略直角として独立して４隅以上に本体側２ｃに接合している。
ここで、キャスター１，２，３，４が４個以上、水平フレーム５，６，７，８及び垂直フレーム９，１０，１１，１２が４個以上とは、本発明の全天候型バッティング練習機を組付ける所定の長さ等を搬送時のトラックの荷台長に合わせる場合、その間の荷積みの大きさから算出したものである。勿論、設置する許可を受ける土地の面積によっても変化する。
【００２６】
図１、図２、図４、図５〜図９は、ボール通過防止のフレームで、ポリエチレン製の多目的ネット（俗に言う「グリーンネット」）である。本実施例のボール通過防止の寸法は網目寸法であり、この網目は３０〜５０ｍｍで、網目の長さ２０ｍ、切断幅は４ｍとしている。
【００２７】
ボール通過防止フレーム面を合成繊維糸で張ったボール通過防止フレーム面２２,２４の対向面に設定せられる。ボール通過防止とは、緑色合成樹脂の網でオールプラスチック（ポリエチレン）製の角目ネットである。発明者らはボールの流体速度が速いことから、緑色を採用した。ボール通過防止フレームを張った１枚のボール衝突面２３は、ボール通過防止フレーム面２２,２４と同一である。ボール通過防止フレーム面２２,２４は、緑色合成樹脂の網のオールプラスチック（ポリエチレン）製角目ネットが作用してボール通過防止機能を呈している。
【００２８】
まず、キャスター２について説明すると、水平フレーム５，８及び垂直フレーム１２で囲まれた網面を、一重〜三重まで重ねたボール網受面３０（３１，３２，３３）を穿設した１枚のボール衝突面２３を形成する。１枚のボール衝突面２３は２本のボール通過防止フレーム面２２,２４に挟まれている。
【００２９】
即ち、２枚のボール通過防止フレーム面２２,２４に挟まれた１枚のボール衝突面２３は、１枚の天井ボール通過防止フレーム面２６による２枚のボール通過防止フレーム面２２,２４とからなり、１枚のボール衝突面２３、対向する２枚のボール通過防止フレーム２２,２４、１枚の天井ボール通過防止フレーム面２６によるボール通過防止フレーム面（２２，２３，２４，２６）による４面を形成している。
【００３０】
また、ボール網受面３０は、一重３１のもの、２重３２または３重３３のものまで重積されることにより、ボール通過防止フレーム面によるボール網受面３０（３１，３２，３３）を一重乃至三重まで重ねたボール網受面３０は、ボール網受面３０（３１，３２，３３）が、速度を高くしたボールの動体速度を低下するから、バッティング練習者Ｂに高速で当たる可能性がなくなり安全である。
【００３１】
例えば、発泡スチロールは特定の型に成形すれば、廉価に水路が形成できる。ここにおいて、雨滴防止具８０は、１枚の天井ボール通過防止フレーム面２６の上側に敷設した雨水がかかりにくいように合成樹脂シートを配設したものである。発泡合成樹脂シートとしてポリエチレン製の合成樹脂シート、ウレタンシート、発泡スチロール等の発泡合成樹脂を入れても、特に、発泡スチロールは特定の型に成形すれば、廉価で水路が形成できる。
【００３２】
発泡合成樹脂として合成樹脂シート、ウレタンシート、発泡スチロールシート等の発泡合成樹脂シートを使用し、特に、発泡スチロールを特定の型に成形しても、廉価で特定の形状の水路が形成できる。
なお、本発明においては、合成樹脂シートは、ポリエチレン製の合成樹脂シートで、世間で俗に『ブルーシート』等と呼称されているものである。色はブルーに拘束されないが、緑色、青色が一般的である。茶色、黒色は全天候型バッティング練習機として網で囲まれていても、その威圧感等を感じなくなる。
【００３３】
図１の水平フレーム５は、１枚のボール衝突面２３に対向する位置に形成した１枚の開放面２１側で、下方に形成したものである。水平フレーム５は、練習に支障がある場合には、両側のキャスター２及びキャスター３側で水平フレーム５を外し、垂直フレーム９、垂直フレーム１２に繋げる。
通常、垂直フレーム９，１０，１１，１２の長さは、バッティング練習者Ｂが十分にプレーできる長さに設定されている。
【００３４】
図１、図２に示すように、２ｍ以上の位置の水平フレーム１３，１４，１５，１６が形成する１枚の天井ボール通過防止フレームは、最下部が合成樹脂Ｎ、合成ゴムＥ、エラストマーＭ等からなる平板が、自重によって浮き上がり難くなるもので、風によって飛んだり、風に乗ったりすることがない材料である。
特に、１本以上のキャスターを杭に固定しておけば、前記全天候型バッティング練習機が転倒しても、合成樹脂Ｎ、合成ゴムＥ、エラストマーＭの平板が風によって飛んだり、風に乗ったりすることがない。
この全天候型バッティング練習機の雨滴防止具は、合成樹脂Ｎ、合成ゴムＥ、エラストマーＭの何れかを下層に敷き、その上層に合成樹脂Ｎ、合成ゴムＥ、エラストマーＭの何れかを敷設したものである。勿論、合成樹脂Ｎ、合成ゴムＥ、エラストマーＭに変えて、テント地或いはブルーシートとしてテント地或いはブルーシートを使用してもよい。
【００３５】
合成樹脂Ｎ、合成ゴムＥ、エラストマーＭ、テント地、ブルーシート等の平板シートのうち、１枚の天井ボール通過防止フレーム面Ｍ（２６）の上側に敷設し、雨水がかかる最上位置にある。
雨滴防止具８０は、１枚または２枚の合成樹脂シートからなり、少なくとも、上面に敷いたシートは、下面側には雨水の流れが、天井ボール通過防止フレーム面２６の下面方向にならないようにしている。合成樹脂Ｎ、合成ゴムＥ、エラストマーＭの平板シートが風によって飛んだり、風に乗ったりして遠くに移動することがない。
天井ボール通過防止フレーム面Ｍ（２６）は、１枚で形成してもよいし、複数枚で形成してもよい。図１は１枚で形成した事例である。しかし、１枚の天井ボール通過防止フレーム面に当たった時、その反発が小さくなるように、天井ボール通過防止フレーム面を形成するのが望ましい。
【００３６】
したがって、天井ボール通過防止フレーム面２６の下面は、対向する２枚のボール通過防止フレーム２２,２４、１枚の天井ボール通過防止フレーム面２３、１枚の天井ボール通過防止フレーム面２６によるボール通過防止フレーム面（２２，２３，２４，２６）による４面を形成している。
よって、天井ボール通過防止フレーム面は、１枚または２枚からなる構成され、図５に示すように、３枚重ねの天井ボール通過防止フレーム面することもできる。
何れにせよ、合成樹脂Ｎ、合成ゴムＥ、エラストマーＭの何れかを有するものであればよい。
【００３７】
１枚の天井ボール通過防止フレーム面２６の上側に敷設し、雨水がかかり易い雨滴防止具８０は、１枚または２枚、３枚のシートからなり、少なくとも、上面に敷いた合成樹脂シートは、下面側の雨水の流れが、天井ボール通過防止フレーム面２６の上面に流れないようにしている。
【００３８】
図４に示す全天候型バッティング練習機は、ピッチャ−Ｐとバッティング練習者Ｂが指定された垂直フレーム９，１０，１１，１２、水平フレーム１３，１４，１５，１６からなる箱体の中に、ピッチャ−Ｐとバッティング練習者Ｂが所定の位置でプレーできるように全天候型バッティング練習機のサイズを設定させている。
前記１枚のボール衝突面２３に対向する位置に、１枚の開放面２１が形成されている。
水平フレーム１３と，水平フレーム１４，水平フレーム１５，水平フレーム１６で閉じられた空間の下層は、天井ボール通過防止フレーム面２６の上側に敷設されている。
【００３９】
図４は、１枚の天井ボール通過防止フレーム面２６に対し、ボール通過防止フレーム面Ｎで下面を形成する。天井ボール通過防止用の上面には、メタルラス網Ｍまたはパンチングメタルを敷き、最上部は、発泡スチロール等の合成樹脂板Ｍで、上面には雨水が流れる水路が形成される。
このとき、ボール通過防止フレームで下面を形成し、ボール通過防止フレーム面の上面の合成樹脂板Ｍ、例えば、メタルラス網またはパンチングメタルによって強度が保持される。
【００４０】
図５は、最下部を形成するボール通過防止フレームで下面を形成する。ボール通過防止フレームの最上部は、例えば、発泡スチロール等の合成樹脂板Ｍで、上面には雨水が流れる水路が形成されている
このとき、ボール通過防止フレームで下面を形成し、ボール通過防止フレームの上面の合成樹脂板Ｍ、例えば、メタルラス網またはパンチングメタルによって強度が保持される。
【００４１】
この発明の全天候型バッティング練習機は、隣接する水平フレーム５，６，７，８の両端部と、上方に延びる垂直フレーム９，１０，１１，１２の下端部とを固着する前記水平フレーム５，６，７，８及び前記垂直フレーム５，６，７，８を、互いに直角とするように独立して４隅以上に接合したキャスター１，２，３，４と、ボール通過防止フレームを張った対向する２枚のボール通過防止フレーム面２２，２４及びボール通過防止フレームを張った１枚の天井ボール通過防止．面２６と、対向する２枚のボール通過防止フレーム面２２，２４に隣接し、一重乃至三重まで重ねたボール網受面３０を有する１枚のボール衝突面と、前記１枚のボール衝突面に対向する位置に形成した１枚の開放面２５と、前記１枚の天井ボール通過防止フレーム面２３に敷設し、１枚の天井ボール通過防止フレーム面の上面に敷設し、バッティング練習者Ｂに雨水がかかりにくくし、雨水は最上部にある合成樹脂シートによって、傘のごとく雨が遮断される雨滴防止具８０とを具備するものである。
【００４２】
この発明の全天候型バッティング練習機においては、１枚の天井ボール通過防止フレーム面２６に敷設し、前記両側２枚のボール通過防止フレーム面２２，２４に雨水を集め、雨水がバッティング練習者Ｂに降りかかりにくくした雨滴防止具８０下端は、それぞれのボール通過防止フレーム面に取付けたものである。
【００４３】
この発明の全天候型バッティング練習機においては、１枚の天井ボール通過防止フレーム面２６の上面に、雨水がバッティングＢに降りかかりにくい雨滴防止具８０としての合成樹脂Ｍシートを載置したものである。
【００４４】
この発明の全天候型バッティング練習機において、前記１枚の天井ボール通過防止フレーム面に敷設し、バッティング練習者Ｂに雨水が降りかかりにくい雨滴防止具８０は、ボール網受面３０、１枚のボール衝突面２３に複数枚の合成樹脂シートを、一重乃至三重まで重ねたボール網受面３０（３１，３２，３３）の穿設した受穴３５を有するものである。
【００４５】
この発明の全天候型バッティング練習機において、雨滴防止具８０は所定の四角板９０とし、それを２枚対のボール通過防止フレーム面２２，２４にスナップボタン等の取付具で取付けたものである。
【００４６】
図９において、この発明の全天候型バッティング練習機は、長方板の合成樹脂シート９０、例えば、９１，９２，９３，９４，９５，９６は、長方形の発泡合成樹脂からなり、これはバッティング練習者Ｂの腰以下に雨水が付着しないようにしたものである。対向する２枚のボール通過防止フレーム面２２，２４と、ボール通過防止フレーム面２３で形成する枠を容易に雨滴防止具８０に固着される。
【００４７】
長方板の合成樹脂シート９１，９２，９３，９４，９５，９６は、図９に示すように、雄スナップボタン９８と、雌スナップボタン９８ｂ、ベルト部９６によって合成樹脂ネット９７を挟むようにしている。
したがって、テンションを掛けることにより、容易に雨滴防止具８０に固着されている。
【００４８】
図９は合成樹脂シートからなる金属製のメタルラス網またはパンチングメタルの上面に対して２重に、またはフレームを単一とし、メタルラス網またはパンチングメタルに対して、金属の上面に合成樹脂シートを敷設する。これによって、仮に、バッティング練習者Ｂがフライを打っても、ボールの回転がメタルラス網またはパンチングメタルとの摩擦により、打球が速やかに低下する。
したがって、メタルラス網またはパンチングメタルそのものではなく、合成樹脂Ｎ、合成ゴムＥ、エラストマーＭとして、コーテイング（塗装）してあるものであればよい。
ここで、エラストマーとは、合成樹脂Ｎと合成ゴムＥの中間的な作用を行う物質である。
【００４９】
図８は、メタルラス網Ｍまたはパンチングメタルに対してラチェット機構が働き、かつ、合成樹脂シートの聴力をあげることができる。
特に、図７及び図８の左側が高くなり風を合成樹脂シートに導き、風の流れを変化させることができる。
図７及び図８のフレーム１４ａとフレーム１６ａは、合成樹脂Ｎ、合成ゴムＥ、エラストマーＭとして、水平フレームまたは垂直フレームと各辺の並行または直列に形成されている。
【００５０】
図５、図６は合成樹脂塗料からなる金属製のメタルラス網（またはパンチングメタル）の上面に対して２重に、または合成樹脂Ｎ、合成ゴムＥ、を単一とし、メタルラス網またはパンチングメタルに対して、金属の上面に合成樹脂シートを敷設する。これによって、仮に、バッティング練習者Ｂがフライを打っても、ボールの回転がメタルラス網またはパンチングメタルとの摩擦により、打球が速やかに低下する。
【００５１】
キャスター１，２，３，４は、隣接する水平フレーム５，６，７，８の両端部、上方に延びる垂直フレーム９，１０，１１，１２の下端部を固着する前記水平フレーム５，６，７，８及び前記垂直フレーム５，６，７，８を、互いに直角とするように独立して４隅以上に接合するものであるが、互いに直角とするように４隅以上とは、９０°を独立して得ることを意味する。
【００５２】
ボール通過防止フレームを張った対向する２枚のボール通過防止フレーム面２２，２４及びボール通過防止フレームを張った１枚の天井ボール通過防止フレーム面２６は、不用意に対向する２枚のボール通過防止フレーム面２２，２４及びボール通過防止フレームを張った１枚の天井ボール通過防止フレーム面２６からボールが飛び出さないようにしている。
【００５３】
対向する２枚のボール通過防止フレーム面２２，２４に隣接し、一重乃至三重まで重ねたボール網受面３０を有する１枚のボール衝突面２３と、前記１枚のボール衝突面２３に対向する位置に形成した１枚の開放面２１は、１枚のボール衝突面２３の中にボール網受面３０を有している。このとき、ボール網受面３０として、１重、２重、３重、４重・・・を有するボール衝突面２３を有する。
ここで、ボール網受面３０は何重にも重ね合わせることができるが、ボール拾いの効率からして１重、２重、３重が効率的である。
【００５４】
１枚の天井ボール通過防止フレーム面２６に敷設し、バッティング練習者Ｂに雨水がかかりにくいボール通過防止フレーム面２２，２４を低く位置づけした雨滴防止具８０は、屋根棟５５を高く、２枚のボール通過防止フレーム面２２，２４を低くしたものであるから、使用中にスナップボタンや組み紐が外れても、修繕が可能である。
【００５５】
なお、図６及び図７の（ａ）、（ｂ）は、紐で縛る組み立て方法を示しているが、この図示した紐で縛る組み立て方法のみではなく、溶接または紐で縛る方法、接着剤で接合する方法、組み立て方法の何れかを選択すればよい。
【符号の説明】
【００５６】
１，２，３，４            キャスター
５，６，７，８            水平フレーム（低い）
９，１０，１１，１２      垂直フレーム
１３，１４，１５，１６    水平フレーム（高い）
２１                開放面
２２，２４          ボール通過防止フレーム面
２３                ボール衝突面
２６                天井ボール通過防止フレーム面
３０                ボール網受面
３１                一重のボール通過防止フレーム
３２                二重のボール通過防止フレーム
３３                三重のボール通過防止フレーム
３５                受穴
９１，９２，９３，９４，９５，９６        四角板シート
Ｎ                  合成樹脂
Ｅ                  合成ゴム
Ｍ                  エラストマー
【要約】
【課題】バッティング練習機を廉価に全天候型とすること。
【解決手段】４隅以上に接合したキャスター１，２，３，４と、ボール通過防止フレームを張った対向する２枚のボール通過防止フレーム面２２，２４及びボール通過防止フレームを張った１枚の天井ボール通過防止フレーム面２６と、前記対向する２枚のボール通過防止フレーム面２２，２４に隣接し、一重乃至三重まで重ねたボール網受面３０を有する１枚のボール衝突面（３１，３２，３３）と、前記１枚のボール衝突面２３に対向する位置に形成した１枚の開放面２１と、天井ボール通過防止フレーム面２６の上面に敷設した、それを広げて、バッティング練習者Ｂに雨水がかかりにくくした。これによって、雨水は最上部にある合成樹脂シートによって雨が遮断される。
【選択図】図１【図１】
0006979241.tif 000002
【図２】
0006979241.tif 000003
【図３】
0006979241.tif 000004
【図４】
0006979241.tif 000005
【図５】
0006979241.tif 000006
【図６】
0006979241.tif 000007
【図７】
0006979241.tif 000008
【図８】
0006979241.tif 000009
【図９】
0006979241.tif 000010